【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
多角形またはリングとして成形される、磁気圧縮吻合デバイスであって、
幾何学形状に自己集合する、磁性セグメントと、
前記多角形またはリングに結合され、前記多角形またはリングの中心点に近接して相互に結合される、半径方向部材と、を備える、磁気圧縮吻合デバイス。
【請求項２】
前記磁性セグメントは、第１の端部および第２の端部を有する直線状アセンブリを画定するように端部と端部とが結合され、前記直線状アセンブリは、前記第１端部および第２の端部を自発的に継合することによって、前記多角形またはリングを形成する、請求項１に記載のデバイス。
【請求項３】
前記磁性セグメントは、前記多角形またはリングを画定するように端部と端部とが結合され、前記多角形またはリングは、前記多角形またはリングの周囲の約半分の長さを有する直線状アセンブリを形成するように折り畳み可能である、請求項１に記載のデバイス。
【請求項４】
前記磁性セグメントは、自己集合を指向させる外骨格とともに結合される、請求項１に記載のデバイス。
【請求項５】
前記外骨格は、弾性材料から形成される、請求項４に記載のデバイス。
【請求項６】
前記弾性材料は、金属またはポリマーを含む、請求項５に記載のデバイス。
【請求項７】
前記弾性材料は、ニッケル合金である、請求項６に記載のデバイス。
【請求項８】
前記磁性セグメントのうちの少なくとも１つは、機械的接続を用いて直接隣接する磁性セグメントに継合される、請求項１に記載のデバイス。
【請求項９】
前記デバイスは、内視鏡、トロカール、カニューレ、カテーテル、または針の作業チャネルのうちの少なくとも１つを介して送達されるように構成される、請求項１に記載のデバイス。
【請求項１０】
前記半径方向部材は、生体分解性である、請求項１に記載のデバイス。
【請求項１１】
前記半径方向部材は、生体分解性縫合糸を含む、請求項１０に記載のデバイス。
【請求項１２】
前記半径方向部材は、付加的に、ガイド要素に結合され、前記ガイド要素は、前記ガイド要素を操作することによって、デバイスの中心が所望される場所に留置されることを可能にする、請求項１に記載のデバイス。
【請求項１３】
前記デバイスは、前記ガイド要素に結合される伸長マニピュレータを用いて留置されるように適合される、請求項１２に記載のデバイス。
【請求項１４】
各半径方向部材は、異なる磁性セグメントに結合される、請求項１２に記載のデバイス。
【請求項１５】
前記多角形は、四角形、六角形、または八角形である、請求項１に記載のデバイス。
【請求項１６】
各セグメントの磁極は、前記多角形に垂直である、請求項１に記載のデバイス。
【請求項１７】
吻合を形成するためのシステムであって、
対象者体内の解剖学的構造へのアクセスを提供するように構成される、アクセスデバイスと、
前記デバイス内に嵌合するように構成され、前記デバイスに対して独立して並進可能かつ回転可能である、伸長マニピュレータと、
多角形またはリングとして成形される磁気圧縮吻合デバイスであって、前記磁気圧縮吻合デバイスは、半径方向部材を備え、前記半径方向部材は、前記多角形またはリングに結合され、前記多角形またはリングの中心点に近接して相互に結合され、前記伸長マニピュレータは、少なくとも１つの半径方向部材に結合可能であり、それによって、前記伸長マニピュレータが、前記磁気圧縮吻合デバイスの留置を指向することを可能にする、磁気圧縮吻合デバイスと、を備える、システム。
【請求項１８】
前記磁気圧縮吻合デバイスは、幾何学形状に自己集合する磁性セグメントを備える、請求項１７に記載のシステム。
【請求項１９】
前記磁性セグメントは、第１の端部および第２の端部を有する直線状アセンブリを画定するように端部と端部とが結合され、前記直線状アセンブリは、前記第１の端部および第２の端部を自発的に継合することによって、前記多角形またはリングを形成する、請求項１８に記載のシステム。
【請求項２０】
前記磁性セグメントは、前記多角形またはリングを画定するように端部と端部とが結合され、前記多角形またはリングは、前記多角形またはリングの周囲の約半分の長さを有する直線状アセンブリを形成するように折り畳み可能である、請求項１８に記載のシステム。
【請求項２１】
前記磁性セグメントは、自己集合を指向させる外骨格とともに結合される、請求項１８に記載のシステム。
【請求項２２】
前記外骨格は、弾性材料から形成される、請求項２１に記載のシステム。
【請求項２３】
前記弾性材料は、金属またはポリマーを含む、請求項２２に記載のシステム。
【請求項２４】
前記弾性材料は、ニッケル合金である、請求項２３に記載のシステム。
【請求項２５】
前記磁性セグメントのうちの少なくとも１つは、機械的接続を用いて直接隣接する磁性セグメントに継合される、請求項１８に記載のシステム。
【請求項２６】
前記半径方向部材は、生体分解性である、請求項１７に記載のシステム。
【請求項２７】
前記半径方向部材は、生体分解性縫合糸を含む、請求項２６に記載のシステム。
【請求項２８】
ガイド要素をさらに備え、前記半径方向部材および前記伸長マニピュレータは、前記ガイド要素に結合される、請求項１７に記載のシステム。
【請求項２９】
前記伸長マニピュレータは、遠位および近位端を有する管腔を備え、前記ガイド要素は、前記管腔内に配置され、遠位から近位位置に並進可能である、請求項２８に記載のシステム。
【請求項３０】
前記伸長マニピュレータは、付加的に、前記ガイド要素を分断するように適合される切断要素を備える、請求項２８に記載のシステム。
【請求項３１】
前記ガイド要素は、生体分解性である、請求項２８に記載のシステム。
【請求項３２】
各セグメントの磁極は、前記多角形に垂直である、請求項１８に記載のシステム。
【請求項３３】
前記多角形は、四角形、六角形、または八角形である、請求項１７に記載のシステム。
【請求項３４】
前記伸長マニピュレータは、非磁性である、請求項１７に記載のシステム。
【手続補正２】
【補正対象書類名】明細書
【補正対象項目名】００１９
【補正方法】変更
【補正の内容】
【００１９】
いくつかの用途では、磁気デバイスのペアは、血管吻合を作成する、または心臓病を処置するために使用され得ることに留意されたい。例えば、磁気吻合結合が、磁気デバイスを用いて隣接する血管間に形成されることができる。例えば、磁気デバイスのペアが、カテーテル等の血管送達デバイスを用いて送達されることができる。
本発明は、例えば、以下を提供する。
（項目１）
多角形またはリングとして成形される、磁気圧縮吻合デバイスであって、
幾何学形状に自己集合する、磁性セグメントと、
前記多角形またはリングに結合され、前記多角形またはリングの中心点に近接して相互に結合される、半径方向部材と、を備える、磁気圧縮吻合デバイス。
（項目２）
前記磁性セグメントは、第１の端部および第２の端部を有する直線状アセンブリを画定するように端部と端部とが結合され、前記直線状アセンブリは、前記第１端部および第２の端部を自発的に継合することによって、前記多角形またはリングを形成する、項目１に記載のデバイス。
（項目３）
前記磁性セグメントは、前記多角形またはリングを画定するように端部と端部とが結合され、前記多角形またはリングは、前記多角形またはリングの周囲の約半分の長さを有する直線状アセンブリを形成するように折り畳み可能である、項目１に記載のデバイス。
（項目４）
前記磁性セグメントは、自己集合を指向させる外骨格とともに結合される、項目１に記載のデバイス。
（項目５）
前記外骨格は、弾性材料から形成される、項目４に記載のデバイス。
（項目６）
前記弾性材料は、金属またはポリマーを含む、項目５に記載のデバイス。
（項目７）
前記弾性材料は、ニッケル合金である、項目６に記載のデバイス。
（項目８）
前記磁性セグメントのうちの少なくとも１つは、機械的接続を用いて直接隣接する磁性セグメントに継合される、項目１に記載のデバイス。
（項目９）
前記デバイスは、内視鏡、トロカール、カニューレ、カテーテル、または針の作業チャネルのうちの少なくとも１つを介して送達されるように構成される、項目１に記載のデバイス。
（項目１０）
前記半径方向部材は、生体分解性である、項目１に記載のデバイス。
（項目１１）
前記半径方向部材は、生体分解性縫合糸を含む、項目１０に記載のデバイス。
（項目１２）
前記半径方向部材は、付加的に、ガイド要素を操作することによって、デバイスの中心が所望される場所に留置されることを可能にする、前記ガイド要素に結合される、項目１に記載のデバイス。
（項目１３）
前記デバイスは、前記ガイド要素に結合される伸長マニピュレータを用いて留置されるように適合される、項目１２に記載のデバイス。
（項目１４）
各半径方向部材は、異なる磁性セグメントに結合される、項目１２に記載のデバイス。
（項目１５）
前記多角形は、四角形、六角形、または八角形である、項目１に記載のデバイス。
（項目１６）
各セグメントの磁極は、前記多角形に垂直である、項目１に記載のデバイス。
（項目１７）
吻合を形成するためのシステムであって、
対象者体内の解剖学的構造にアクセスを提供するように構成される、アクセスデバイスと、
前記デバイス内に嵌合するように構成され、前記デバイスに対して独立して並進可能かつ回転可能である、伸長マニピュレータと、
多角形またはリングとして成形される磁気圧縮吻合デバイスであって、前記多角形またはリングに結合され、前記多角形またはリングの中心点に近接して相互に結合される、半径方向部材を備え、前記伸長マニピュレータは、少なくとも１つの半径方向部材に結合可能であり、それによって、前記伸長マニピュレータが、磁気圧縮吻合デバイスの留置を指向することを可能にする、磁気圧縮吻合デバイスと、を備える、システム。
（項目１８）
前記磁気圧縮吻合デバイスは、幾何学形状に自己集合する磁性セグメントを備える、項目１７に記載のシステム。
（項目１９）
前記磁性セグメントは、第１の端部および第２の端部を有する直線状アセンブリを画定するように端部と端部とが結合され、前記直線状アセンブリは、前記第１の端部および第２の端部を自発的に継合することによって、前記多角形またはリングを形成する、項目１８に記載のシステム。
（項目２０）
前記磁性セグメントは、前記多角形またはリングを画定するように端部と端部とが結合され、前記多角形またはリングは、前記多角形またはリングの周囲の約半分の長さを有する直線状アセンブリを形成するように折り畳み可能である、項目１８に記載のシステム。
（項目２１）
前記磁性セグメントは、自己集合を指向させる外骨格とともに結合される、項目１８に記載のシステム。
（項目２２）
前記外骨格は、弾性材料から形成される、項目２１に記載のシステム。
（項目２３）
前記弾性材料は、金属またはポリマーを含む、項目２２に記載のシステム。
（項目２４）
前記弾性材料は、ニッケル合金である、項目２３に記載のシステム。
（項目２５）
前記磁性セグメントのうちの少なくとも１つは、機械的接続を用いて直接隣接する磁性セグメントに継合される、項目１８に記載のシステム。
（項目２６）
前記半径方向部材は、生体分解性である、項目１７に記載のシステム。
（項目２７）
前記半径方向部材は、生体分解性縫合糸を含む、項目２６に記載のシステム。
（項目２８）
ガイド要素をさらに備え、前記半径方向部材および前記伸長マニピュレータは、前記ガイド要素に結合される、項目１７に記載のシステム。
（項目２９）
前記伸長マニピュレータは、遠位および近位端を有する管腔を備え、前記ガイド要素は、前記管腔内に配置され、そして遠位から近位位置に並進可能である、項目２８に記載のシステム。
（項目３０）
前記伸長マニピュレータは、付加的に、前記ガイド要素を分断するように適合される切断要素を備える、項目２８に記載のシステム。
（項目３１）
前記ガイド要素は、生体分解性である、項目２８に記載のシステム。
（項目３２）
各セグメントの磁極は、前記多角形に垂直である、項目１８に記載のシステム。
（項目３３）
前記多角形は、四角形、六角形、または八角形である、項目１７に記載のシステム。
（項目３４）
前記伸長マニピュレータは、非磁性である、項目１７に記載のシステム。
（項目３５）
磁気圧縮吻合システムであって、
磁性セグメントを備える、自己集合磁気圧縮デバイスと、
近位および遠位端を有し、前記磁気圧縮デバイスに結合される、少なくとも１つのガイド要素と、
中心管腔を有するガイド管であって、前記ガイド要素は、前記管腔内に位置付けられ、前記ガイド要素の並進が、前記磁気圧縮デバイスの並進を引き起こす、ガイド管と、を備える、磁気圧縮吻合システム。
（項目３６）
前記ガイド管は、内視鏡、カニューレ、トロカール、カテーテル、または針の作業チャネルのうちの少なくとも１つの中に嵌合するようなサイズにされる、項目３５に記載のシステム。
（項目３７）
前記ガイド管は、前記作業チャネルに対して独立して並進可能かつ回転可能である、項目３６に記載のシステム。
（項目３８）
前記磁性セグメントは、幾何学形状に自己集合するように構成され、前記磁性セグメントは、第１の端部および第２の端部を有する直線状アセンブリを画定するように端部と端部とが結合され、前記直線状アセンブリは、前記第１の端部および第２の端部を自発的に継合することによって、前記幾何学形状を形成する、項目３５に記載のシステム。
（項目３９）
前記磁性セグメントは、自己集合を指向させる外骨格とともに結合される、項目３５に記載のシステム。
（項目４０）
吻合を形成するためのシステムであって、
対象者体内の解剖学的構造にアクセスを提供するように構成される、トロカールと、
前記トロカール内に嵌合するように構成され、前記トロカールに対して独立して並進可能かつ回転可能である、伸長マニピュレータと、
多角形またはリングとして成形される磁気圧縮吻合デバイスであって、前記多角形またはリングに結合されるガイド要素を備え、それによって、前記伸長マニピュレータが、前記磁気圧縮吻合デバイスの留置を指向することを可能にする、磁気圧縮吻合デバイスと、を備える、システム。
（項目４１）
前記磁気圧縮吻合デバイスは、幾何学形状に自己集合する磁性セグメントを備える、項目４０に記載のシステム。
（項目４２）
前記磁性セグメントは、第１の端部および第２の端部を有する直線状アセンブリを画定するように端部と端部とが結合され、前記直線状アセンブリは、前記第１の端部および第２の端部を自発的に継合することによって、前記多角形またはリングを形成する、項目４１に記載のシステム。
（項目４３）
前記磁性セグメントは、前記多角形またはリングを画定するように端部と端部とが結合され、前記多角形またはリングは、前記多角形またはリングの周囲の約半分の長さを有する直線状アセンブリを形成するように折り畳み可能である、項目４１に記載のシステム。
（項目４４）
前記磁性セグメントは、自己集合を指向させる外骨格とともに結合される、項目４１に記載のシステム。
（項目４５）
前記伸長マニピュレータは、付加的に、前記ガイド要素を分断するように適合される切断要素を備える、項目４０に記載のシステム。
（項目４６）
前記ガイド要素は、生体分解性である、項目４０に記載のシステム。
（項目４７）
前記多角形は、四角形、六角形、または八角形である、項目４０に記載のシステム。
（項目４８）
各セグメントの磁極は、前記多角形に垂直である、項目４１に記載のシステム。
（項目４９）
前記伸長マニピュレータは、非磁性である、項目４０に記載のシステム。
（項目５０）
磁気圧縮吻合システムであって、
幾何学形状に自己集合するように構成される磁性セグメントを備える、自己集合磁気圧縮デバイスと、
近位および遠位端を有し、前記磁気圧縮デバイスに結合される、ガイド要素と、
中心管腔を有するガイド管であって、前記ガイド要素は、前記管腔内に位置付けられ、前記ガイド要素の並進は、前記磁気圧縮デバイスの並進を引き起こす、ガイド管と、を備える、磁気圧縮吻合システム。
（項目５１）
前記ガイド管は、内視鏡の作業チャネル内に嵌合するようなサイズにされる、項目５０に記載のシステム。
（項目５２）
前記ガイド管は、カニューレ、トロカール、カテーテル、または針内に嵌合するようなサイズにされる、項目５０に記載のシステム。
（項目５３）
前記磁気圧縮吻合デバイスは、幾何学形状に自己集合する磁性セグメントを備える、項目５０に記載のシステム。
（項目５４）
前記磁性セグメントは、第１の端部および第２の端部を有する直線状アセンブリを画定するように端部と端部とが結合され、前記直線状アセンブリは、前記第１の端部および第２の端部を自発的に継合することによって、前記幾何学形状を形成する、項目５３に記載のシステム。
（項目５５）
前記ガイド管の遠位端が前記自己集合磁気圧縮デバイスの近位端と接触し、近位の力が前記ガイド要素の近位端に印加されると、前記ガイド要素およびガイド管は、前記自己集合磁気圧縮デバイスの遠位端を前記自己集合磁気圧縮デバイスの近位端と接触させるように適合される、項目５０に記載のシステム。
（項目５６）
磁気圧縮吻合システムであって、
磁性セグメントを備える、自己集合磁気圧縮デバイスと、
取り外し可能な重りと、
前記取り外し可能な重りを前記磁気圧縮デバイスに送達するように構成される、送達要素と、を備える、磁気圧縮吻合システム。
（項目５７）
前記磁気圧縮デバイスから前記取り外し可能な重りを除去するように適合される、除去要素をさらに備える、項目５６に記載のシステム。
（項目５８）
前記取り外し可能な重りは、強磁性である、項目５６に記載のシステム。
（項目５９）
前記取り外し可能な重りは、生体適合性コーティングを用いてコーティングされる、項目５６に記載のシステム。
（項目６０）
前記磁気圧縮吻合デバイスは、幾何学形状に自己集合する磁性セグメントを備える、項目５６に記載のシステム。
（項目６１）
前記磁性セグメントは、第１の端部および第２の端部を有する直線状アセンブリを画定するように端部と端部とが結合され、前記直線状アセンブリは、前記第１の端部および第２の端部を自発的に継合することによって、前記幾何学形状を形成する、項目６０に記載のシステム。
（項目６２）
前記磁性セグメントは、前記幾何学形状を画定するように端部と端部とが結合され、前記磁気圧縮吻合デバイスは、前記幾何学形状の周囲の約半分の長さを有する直線状アセンブリを形成するように折り畳み可能である、項目６０に記載のシステム。
（項目６３）
磁気圧縮吻合システムであって、
磁性セグメントを備える、自己集合磁気圧縮デバイスと、
膨張すると、解剖学的管腔内に自己集合磁気圧縮デバイスを保定するように適合される、バルーンカテーテルと、を備える、磁気圧縮吻合システム。
（項目６４）
前記解剖学的管腔内に前記自己集合磁気圧縮デバイスを留置するための送達要素をさらに備える、項目６３に記載のシステム。
（項目６５）
前記バルーンカテーテルは、液体を用いて充填されるように適合される、項目６３に記載のシステム。
（項目６６）
前記バルーンカテーテルは、前記解剖学的管腔の操作を促進するために、前記磁気圧縮デバイスの近傍に付加的質量を提供する、項目６５に記載のシステム。
（項目６７）
前記磁気圧縮吻合デバイスは、幾何学形状に自己集合する磁性セグメントを備える、項目６３に記載のシステム。
（項目６８）
前記磁性セグメントは、第１の端部および第２の端部を有する直線状アセンブリを画定するように端部と端部とが結合され、前記直線状アセンブリは、前記第１の端部および第２の端部を自発的に継合することによって、前記幾何学形状を形成する、項目６７に記載のシステム。
（項目６９）
前記磁性セグメントは、前記幾何学形状を画定するように端部と端部とが結合され、前記磁気圧縮吻合デバイスは、前記幾何学形状の周囲の約半分の長さを有する直線状アセンブリを形成するように折り畳み可能である、項目６７に記載のシステム。
（項目７０）
組織内に吻合を作成するための方法であって、
第１の磁気圧縮吻合デバイスに結合される第１の伸長マニピュレータを組織に送達するステップであって、前記第１の磁気圧縮吻合デバイスは、多角形またはリングとして成形され、そして前記多角形またはリングに結合され、かつ前記多角形またはリングの中心点に近接して相互に結合される、半径方向部材を備える、ステップと、
第２の磁気圧縮吻合デバイスに結合される第２の伸長マニピュレータを前記組織に送達するステップと、
前記第１および第２の磁気圧縮吻合デバイスが前記組織を結合および圧縮するように、前記第１の磁気圧縮吻合デバイスを前記第２の磁気圧縮吻合デバイスに近接させるステップと、を含む、方法。
（項目７１）
前記第１および第２の磁気圧縮吻合デバイスから前記第１および第２の伸長マニピュレータを結合解除し、前記組織から前記第１および第２の伸長マニピュレータを抜去するステップをさらに含む、項目７０に記載の方法。
（項目７２）
腹腔鏡を前記組織に送達し、前記第１または第２の磁気圧縮吻合デバイスを視覚化するステップをさらに含む、項目７０に記載の方法。
（項目７３）
腹腔鏡把持装置を用いて前記組織を把持し、前記第１の磁気圧縮吻合デバイスを前記第２の磁気圧縮吻合デバイスに近接させるステップをさらに含む、項目７２に記載の方法。
（項目７４）
前記組織は、胃、腸、胆嚢、または結腸組織から選択される、項目７０に記載の方法。
（項目７５）
前記第１および第２の磁気圧縮吻合デバイスは、幾何学形状に自己集合する磁性セグメントを備える、項目７０に記載の方法。
（項目７６）
前記第１の磁気圧縮吻合デバイスに近接してバルーンカテーテルを送達し、前記バルーンカテーテルを膨張させるステップをさらに含む、項目７０に記載の方法。
（項目７７）
前記組織は、対象者体内にあり、近接させるステップはさらに、前記対象者の身体を操作し、前記第１および第２の磁気圧縮吻合デバイスを結合させるステップを含む、項目７０に記載の方法。
（項目７８）
前記第１または第２の磁気圧縮吻合デバイスに重りを追加するステップをさらに含む、項目７７に記載の方法。
（項目７９）
前記第１の磁気圧縮吻合デバイスに近接してバルーンカテーテルを送達し、前記バルーンカテーテルを膨張させるステップをさらに含む、項目７８に記載の方法。
（項目８０）
前記重りは、前記バルーンカテーテル内の液体によって提供される、項目７９に記載の方法。
（項目８１）
組織内に吻合を作成するための方法であって、
第１の磁気圧縮吻合デバイスに結合される第１の伸長マニピュレータを組織に送達するステップであって、前記第１の磁気圧縮吻合デバイスは、多角形またはリングとして成形され、ガイド要素を用いて前記第１の伸長マニピュレータに結合される、ステップと、
第２の磁気圧縮吻合デバイスを前記組織に送達するステップと、
前記第１および第２の磁気圧縮吻合デバイスが前記組織を結合および圧縮するように、前記第１の磁気圧縮吻合デバイスを前記第２の磁気圧縮吻合デバイスに近接させるステップと、を含む、方法。
（項目８２）
前記第１の磁気圧縮吻合デバイスから前記第１の伸長マニピュレータを結合解除し、前記組織から前記第１の伸長マニピュレータを抜去するステップをさらに含む、項目８１に記載の方法。
（項目８３）
前記第２の磁気圧縮吻合デバイスは、第２の伸長マニピュレータを用いて送達される、項目８１に記載の方法。
（項目８４）
腹腔鏡を前記組織に送達し、前記第１または第２の磁気圧縮吻合デバイスを視覚化するステップをさらに含む、項目８１に記載の方法。
（項目８５）
腹腔鏡把持装置を用いて前記組織を把持し、前記第１の磁気圧縮吻合デバイスを前記第２の磁気圧縮吻合デバイスに近接させるステップをさらに含む、項目８４に記載の方法。
（項目８６）
前記組織は、胃、腸、胆嚢、または結腸組織から選択される、項目８１に記載の方法。
（項目８７）
前記第１および第２の磁気圧縮吻合デバイスは、幾何学形状に自己集合する磁性セグメントを備える、項目８１に記載の方法。
（項目８８）
前記第１の磁気圧縮吻合デバイスに近接してバルーンカテーテルを送達し、前記バルーンカテーテルを膨張させるステップをさらに含む、項目８１に記載の方法。
（項目８９）
前記組織は、対象者体内にあり、近接させるステップはさらに、前記対象者の身体を操作し、前記第１および第２の磁気圧縮吻合デバイスを結合させるステップを含む、項目８１に記載の方法。
（項目９０）
前記第１または第２の磁気圧縮吻合デバイスに重りを追加するステップをさらに含む、項目８９に記載の方法。
（項目９１）
前記第１の磁気圧縮吻合デバイスに近接してバルーンカテーテルを送達し、前記バルーンカテーテルを膨張させるステップをさらに含む、項目８９に記載の方法。
（項目９２）
前記重りは、前記バルーンカテーテル内の液体によって提供される、項目９１に記載の方法。
（項目９３）
組織内に吻合を作成するための方法であって、
ガイド要素に結合される第１の磁気圧縮デバイスを、送達管腔を通して組織に送達するステップと、
前記送達管腔内に配置されるガイド管を用いて前記第１の磁気圧縮デバイスを位置付けるステップであって、前記ガイド管は、中心管腔を有し、前記ガイド要素は、前記中心管腔内に位置付けられ、前記ガイド要素の並進は、前記磁気圧縮デバイスの並進を引き起こす、ステップと、
第２の磁気圧縮吻合デバイスを前記組織に送達するステップと、
前記第１および第２の磁気圧縮吻合デバイスが前記組織を結合および圧縮するように、前記第１の磁気圧縮吻合デバイスを前記第２の磁気圧縮吻合デバイスに近接させるステップと、を含む、方法。
（項目９４）
前記第１の磁気圧縮吻合デバイスから前記ガイド要素を結合解除し、前記組織から前記ガイド管を抜去するステップをさらに含む、項目９３に記載の方法。
（項目９５）
前記第２の磁気圧縮吻合デバイスは、第２の送達管腔を通して送達される、項目９３に記載の方法。
（項目９６）
前記送達管腔は、トロカール、カニューレ、カテーテル、針、または内視鏡内に位置する、項目９３に記載の方法。
（項目９７）
位置付けるステップは、前記第１の磁気圧縮デバイスを前記ガイド管と接触させることを含む、項目９３に記載の方法。
（項目９８）
前記第１の磁気圧縮デバイスから前記ガイド管を除去し、前記ガイド要素を用いて前記第１の磁気圧縮デバイスの場所を調節するステップをさらに含む、項目９７に記載の方法。
（項目９９）
前記第１の磁気圧縮デバイスを前記ガイド管と再接触させるステップをさらに含む、項目９８に記載の方法。
（項目１００）
前記第１の磁気圧縮デバイスを送達するステップは、前記ガイド管を用いて前記送達管腔から前記第１の磁気圧縮デバイスを押動することを含む、項目９３に記載の方法。
（項目１０１）
前記ガイド管は、テフロン（登録商標）（ポリテトラフルオロエチレン）を含む、項目９３に記載の方法。
（項目１０２）
前記組織は、胃、腸、胆嚢、または結腸組織から選択される、項目９３に記載の方法。
（項目１０３）
前記第１の磁気圧縮デバイスは、幾何学形状に自己集合する磁性セグメントを備える、項目９３に記載の方法。
（項目１０４）
前記ガイド管は、前記第１の磁気圧縮吻合デバイスの幾何学形状への自己集合を促進するように適合される、項目１０３に記載の方法。
（項目１０５）
前記第１および第２の磁気圧縮デバイスは、幾何学形状に自己集合する磁性セグメントを備える、項目９３に記載の方法。
（項目１０６）
前記第１の磁気圧縮吻合デバイスに近接してバルーンカテーテルを送達し、前記バルーンカテーテルを膨張させるステップをさらに含む、項目９３に記載の方法。
（項目１０７）
前記組織は、対象者体内にあり、近接させるステップはさらに、前記対象者の身体を操作し、前記第１および第２の磁気圧縮デバイスを結合させることを含む、項目９３に記載の方法。
（項目１０８）
前記第１または第２の磁気圧縮デバイスに重りを追加するステップをさらに含む、項目１０７に記載の方法。
（項目１０９）
前記第１の磁気圧縮吻合デバイスに近接してバルーンカテーテルを送達し、前記バルーンカテーテルを膨張させるステップをさらに含む、項目１０８に記載の方法。
（項目１１０）
前記重りは、前記バルーンカテーテル内の液体によって提供される、項目１０７に記載の方法。